(57)【特許請求の範囲】
【請求項１】
ロール状ペーパーの胴部外周の円周方向を所定の負荷にて締め付けて絞り込み、その締め付けによって減少した円周方向の長さである絞り込みの長さを測定して、前記ロール状ペーパーの巻き硬さを判定するロール状ペーパーの巻き硬さ判定方法。
【請求項２】
前記ロール状ペーパーをその胴部外周が接するように載置部に載置し、
一端が固定された帯状の絞り込み手段を、前記ロール状ペーパーの少なくとも上方側を覆うように前記ロール状ペーパーの前記胴部外周の円周方向に沿って巻きつけ、
前記絞り込み手段の他端に所定の負荷を与えて、前記絞り込み手段にて前記ロール状ペーパーを絞り込み、その絞り込みの長さを測定する請求項１に記載のロール状ペーパーの巻き硬さ判定方法。
【請求項３】
前記絞り込み手段の他端に、錘が保持されているか否かによる前記絞り込みの長さを測定する請求項２に記載のロール状ペーパーの巻き硬さ判定方法。
【請求項４】
ロール状ペーパーをその胴部外周が接するように載置する載置部と、
その載置部に一端が固定され、前記一端と反対側の他端に負荷を印加するための負荷印加部を有し、前記載置部に載置された前記ロール状ペーパーの少なくとも上方側を覆うように前記ロール状ペーパーの胴部外周の円周方向に沿って巻きつけられる帯状の絞り込み手段と、を備え、
前記載置部に載置された前記ロール状ペーパーに巻きつけられた前記絞り込み手段の前記負荷印加部によって負荷が印加されているか否かによって、前記ロール状ペーパーの円周方向の長さの減少である絞り込みの長さを測定することにより、前記ロール状ペーパーの巻き硬さを判定するロール状ペーパーの巻き硬さ判定治具。
【請求項５】
前記載置部は、前記ロール状ペーパーを保持する円弧状の受け部と、その受け部の一方の端部から延出して形成され、当該判定治具を固定するための取付け部と、を備える請求項４に記載のロール状ペーパーの巻き硬さ判定治具。
【請求項６】
前記載置部の前記取付け部側に前記絞り込み手段の前記一端が固定され、前記受け部の前記取付け部側とは反対の他方の端部に、前記ロール状ペーパーを絞り込むための前記絞り込み手段が挿入される切欠き部が形成された請求項５に記載のロール状ペーパーの巻き硬さ判定治具。
【請求項７】
前記絞り込み手段の前記負荷印加部によって負荷が印加されているか否かによって、前記ロール状ペーパーの絞り込みの長さを測定することが可能な絞り込み長さ測定手段を備える請求項４〜６のいずれか１項に記載のロール状ペーパーの巻き硬さ判定治具。
【発明の詳細な説明】
【技術分野】
【０００１】
本発明は、ペーパータオル等のロール状に巻かれたロール状ペーパーの巻き硬さを判定するロール状ペーパーの巻き硬さ判定方法、及びロール状ペーパーの巻き硬さ判定治具に関する。
【背景技術】
【０００２】
ペーパータオルやトイレットペーパー等の衛生用紙は、１枚（１プライと言う）〜３枚重ね（３プライと言う）程度のシートを所定の巻き長さで巻き取ってロール状ペーパーとして形成され、通常は、複数個のロール状ペーパーが袋詰めされ店頭にて陳列販売される。ペーパータオルやトイレットペーパー等のロール製品においては、風合い、柔軟性等その肌触りが良好であることが、製品購入を決める大きな指標となっており、消費者は、袋詰めされたロール状ペーパーを手にとってみて、その掴んだ感触によって無意識の内にロール状ペーパーを使用する際の感触を連想して、購入するか否かを決めていると考えられる。
【０００３】
例えば、ロール状ペーパーを掴んだ時にそのロールが硬いと、これを巻きほぐした実際の使用状態たるシート状態でも硬くて使い心地が悪いのではないかと思ったり、あるいはロールが柔らかすぎれば、前記シート状態でも柔らか過ぎて使用時に破れ易いのではないかと思ったりして、購入時の判断をしている。つまり、ロール状ペーパーの購買促進の為には、ロール状ペーパーを手で掴んだ時の感触、即ちそのロールを掴んだ時に感じる硬さを、適度な柔らかさに保つ必要があり、その為には、生産されたロール状ペーパーの巻き硬さを、随時検査することが必要である。
【０００４】
このようなロール状ペーパーの巻き硬さ測定方法としては、例えば、手で触れて確かめる官能検査や、異なる二段階の圧力をペーパーの鉛直方向に加えて押し込み深さの差を測定する方法（特許文献１参照）などが知られている。
【０００５】
【特許文献１】特開２００３−６１８６０号公報
【発明の開示】
【発明が解決しようとする課題】
【０００６】
しかしながら、官能検査では、触覚や好み等の個人差が結果に影響するという問題がある。一方、二段階の押し込み深さの差を測定する方法では、押し込み圧子の面積が小さいため、押し込み深さが安定するのを待たねばならないほか、極めて小さい値の測定であることから、結果の精密性を期す為に繰り返し測定を行わなくてはならず、手間と時間がかかるという問題がある。また、押し込み深さの測定には専用の計測器が必要で、設置スペースやコストの面からも課題が多い。
【０００７】
本発明は、かかる従来の課題に鑑みて成されたもので、少ない測定回数で安定した結果を得ることができる簡易なロール状ペーパーの巻き硬さ判定方法、及びロール状ペーパーの巻き硬さ判定治具を提供することを課題とする。
【課題を解決するための手段】
【０００８】
本発明者は、ロール状ペーパーの胴部外周の円周方向を所定の負荷にて絞り込み、その絞り込みの長さを測定して、絞り込みの値が所定の範囲内に収まっているかを見ることにより上記課題を解決できることを見出した。即ち、本発明によれば、以下のロール状ペーパーの巻き硬さ判定方法、及びロール状ペーパーの巻き硬さ判定治具が提供される。
【０００９】
［１］  ロール状ペーパーの胴部外周の円周方向を所定の負荷にて締め付けて絞り込み、その締め付けによって減少した円周方向の長さである絞り込みの長さを測定して、前記ロール状ペーパーの巻き硬さを判定するロール状ペーパーの巻き硬さ判定方法。
【００１０】
［２］  前記ロール状ペーパーをその胴部外周が接するように載置部に載置し、一端が固定された帯状の絞り込み手段を、前記ロール状ペーパーの少なくとも上方側を覆うように前記ロール状ペーパーの前記胴部外周の円周方向に沿って巻きつけ、前記絞り込み手段の他端に所定の負荷を与えて、前記絞り込み手段にて前記ロール状ペーパーを絞り込み、その絞り込みの長さを測定する前記［１］に記載のロール状ペーパーの巻き硬さ判定方法。
【００１１】
［３］  前記絞り込み手段の他端に、錘が保持されているか否かによる前記絞り込みの長さを測定する前記［２］に記載のロール状ペーパーの巻き硬さ判定方法。
【００１２】
［４］  ロール状ペーパーをその胴部外周が接するように載置する載置部と、その載置部に一端が固定され、前記一端と反対側の他端に負荷を印加するための負荷印加部を有し、前記載置部に載置された前記ロール状ペーパーの少なくとも上方側を覆うように前記ロール状ペーパーの胴部外周の円周方向に沿って巻きつけられる帯状の絞り込み手段と、を備え、前記載置部に載置された前記ロール状ペーパーに巻きつけられた前記絞り込み手段の前記負荷印加部によって負荷が印加されているか否かによって、前記ロール状ペーパーの円周方向の長さの減少である絞り込みの長さを測定することにより、前記ロール状ペーパーの巻き硬さを判定するロール状ペーパーの巻き硬さ判定治具。
【００１３】
［５］  前記載置部は、前記ロール状ペーパーを保持する円弧状の受け部と、その受け部の一方の端部から延出して形成され、当該判定治具を固定するための取付け部と、を備える前記［４］に記載のロール状ペーパーの巻き硬さ判定治具。
【００１４】
［６］  前記載置部の前記取付け部側に前記絞り込み手段の前記一端が固定され、前記受け部の前記取付け部側とは反対の他方の端部に、前記ロール状ペーパーを絞り込むための前記絞り込み手段が挿入される切欠き部が形成された前記［５］に記載のロール状ペーパーの巻き硬さ判定治具。
【００１５】
［７］  前記絞り込み手段の前記負荷印加部によって負荷が印加されているか否かによって、前記ロール状ペーパーの絞り込みの長さを測定することが可能な絞り込み長さ測定手段を備える前記［４］〜［６］のいずれかに記載のロール状ペーパーの巻き硬さ判定治具。
【発明の効果】
【００１６】
ロール状ペーパーの胴部外周の円周方向を所定の負荷にて絞り込み、その絞り込みの長さを測定して、絞り込みの値が所定の範囲内に収まっているか否かにより、ロール状ペーパーの巻き硬さを容易に判定することができる。
【００１７】
ロール状ペーパーを載置する載置部と、負荷を印加するための負荷印加部を有し、ロール状ペーパーの胴部外周の円周方向に沿って巻きつけられる帯状の絞り込み手段と、を備えるロール状ペーパーの巻き硬さ判定治具によって、ロール状ペーパーの巻き硬さを容易に判定することができる。直径方向に圧縮した場合は、その方向の硬さを測定することになるが、円周方向に沿って帯状の絞り込み手段を巻きつけて絞り込むことにより、製品全体の巻き硬さを測定することができる。このような円周方向の絞り込みによる巻き硬さの測定は、比較的巻きの柔らかいロールの測定に適している。また、従来は、検査者が手の感触によって判断していたが、上記のような方法により、検査者による判定のばらつきがなくなるとともに、製品に手で触れることが減少するため、衛生的である。
【発明を実施するための最良の形態】
【００１８】
以下、図面を参照しつつ本発明の実施の形態について説明する。本発明は、以下の実施形態に限定されるものではなく、発明の範囲を逸脱しない限りにおいて、変更、修正、改良を加え得るものである。
【００１９】
本発明のロール状ペーパーの巻き硬さ判定方法は、ロール状ペーパーの胴部外周の円周方向を所定の負荷にて締め付けて絞り込み、その締め付けによって減少した円周方向の長さである絞り込みの長さを測定して、ロール状ペーパーの巻き硬さを判定する方法である。ロール状ペーパーを所定の負荷にて絞り込み、その絞り込みの長さによって、ロール状ペーパーの巻き硬さを容易に判定することができる。ロール状ペーパーの巻き硬さを手で触り官能検査するだけでは、個人差がでるため、それを防止することができる。
【００２０】
具体的には、ロール状ペーパーをその胴部外周が接するように載置部に載置し、一端が固定された帯状の絞り込み手段を、ロール状ペーパーの少なくとも上方側を覆うようにロール状ペーパーの胴部外周の円周方向に沿って巻きつける。そして、絞り込み手段の他端に所定の負荷を与えて、絞り込み手段にてロール状ペーパーを絞り込み、その絞り込みの長さを測定する。所定の負荷は、例えば、錘によってかけることができる。つまり、絞り込み手段の他端側に、錘が保持されているか否かによる絞り込みの長さを測定する。このようにすれば、容易に、かつ検査者によるばらつきなく、巻き硬さの判定をすることができる。
【００２１】
図１及び図２に、本発明のロール状ペーパーの巻き硬さ判定方法に用いることのできるロール状ペーパーの巻き硬さ判定治具１の一実施形態を示す。図１は、斜視図、図２は、ロール状ペーパー２０を載置した場合の側面図である。本発明のロール状ペーパーの巻き硬さ判定治具１は、ロール状ペーパー２０をその胴部外周２０ｇが接するように載置する載置部２と、その載置部２に一端が固定され、一端と反対側の他端に負荷を印加するための負荷印加部１１を有し、載置部２に載置されたロール状ペーパー２０の少なくとも上方側を覆うようにロール状ペーパー２０の胴部外周の円周方向に沿って巻きつけられる帯状の絞り込み手段１０と、を備える。
【００２２】
載置部２は、ロール状ペーパー２０を保持する円弧状の受け部３と、その受け部３の一方の端部から延出して形成され、当該判定治具１を固定するための取付け部４と、を備える。受け部３が円弧状に形成されているため、そこにロール状ペーパー２０の胴部外周２０ｇが接するようにロール状ペーパー２０を載置することができる。また、受け部３から延出して形成された取付け部４には、孔が形成されており、ボルト２５等によって、当該判定治具１を柱２６や壁などに固定することができる。
【００２３】
また、受け部３の取付け部４側とは反対の端部に、ロール状ペーパー２０を絞り込むための絞り込み手段１０が挿入される切欠き部５が形成されており、載置部２の受け部３の切欠き部５の近傍に絞り込み手段１０の一端が固定されている。ロール状ペーパー２０に巻きつけられた絞り込み手段１０がロール状ペーパー２０の胴部外周に沿った状態で、ロール状ペーパー２０を絞り込むことができる。このため、より的確に巻き硬さを判定することができる。なお、図１及び図２に示すように、絞り込み手段１０が、切欠き部５の近傍に固定されている場合は、ロール状ペーパー２０のほぼ全周を絞り込むことができ、製品全体の巻き硬さを的確に判定しやすくなるが、少なくとも上方側を覆うように絞り込み手段１０が固定されていれば、巻き硬さを測定することは可能である。
【００２４】
絞り込み手段１０は、幅が１０〜１２ｍｍ、ロール状ペーパー２０の半周程度以上の長さを有したベルトであり、一端が載置部２に固定され、他端には負荷印加部１１が設けられている。絞り込み測定手段の負荷印加部１１は、例えば、錘１５を保持することが可能な錘保持部として形成され、具体的には、錘１５をぶら下げて保持するための孔が設けられている。錘１５は、判定するロール状ペーパー２０の種類に応じて、適宜重さを選択するとよい。この孔に、錘１５をぶら下げることにより、所定の負荷をロール状ペーパー２０に印加することができる。つまり、載置部２にロール状ペーパー２０を載置して、帯状の絞り込み手段１０によって、ロール状ペーパー２０の外周を絞り込むことができる。そして、錘１５をぶら下げているか否かにより、絞り込みの長さを測定して、巻き硬さを判定する。
【００２５】
さらに、絞り込み手段１０の負荷印加部１１によって負荷が印加されているか否か（錘１５がぶら下げられているか否か）によって、ロール状ペーパー２０の絞り込みの長さを測定することが可能な絞り込み長さ測定手段を備える。絞り込み長さ測定手段としては、具体的には、スケール１２が絞り込み手段１０または受け部３に備えられ、スケール１２が備えられていない受け部３または絞り込み手段１０には、スケール１２を読むための基準となる基準線１３が設けられている。
【００２６】
本発明のロール状ペーパーの巻き硬さ判定治具１によって判定されるロール状ペーパー２０は、ペーパータオル等であり、芯２０ｓに１枚（１プライ）〜３枚重ね（３プライ）程度のシートを所定の巻き長さで巻き取ってロール状ペーパー２０として形成されたものである。ペーパータオルの場合は、厚みがあり弾力性もあるため、錘の重さとしては、０．５〜１．５ｋｇを選択するとよい。また、絞り込みの長さは、１〜４ｍｍ以上、５〜１０ｍｍ以下程度を判定基準とするとよい。これらの値は、判定するロール状ペーパー２０に応じて、適宜基準を設けることにより、検査者による判定のばらつきを防止することができる。
【００２７】
図３Ａは、ロール状ペーパーを巻き硬さ判定治具に載置したところを示す図である。また、図３Ｂは、巻き硬さ判定治具に載置したロール状ペーパーを錘によって絞り込むところを示す図である。巻き硬さ判定治具１の載置部２に、ロール状ペーパー２０を載置し、ロール状ペーパー２０に巻きつけられた絞り込み手段１０の負荷印加部１１によって負荷が印加されているか否かによって、言い換えると、錘１５をぶら下げられているか否かによって、ロール状ペーパー２０の絞り込みの長さを測定する。つまり、図３Ａの場合のスケール１２の読みと図３Ｂの場合のスケールの読みを比較することにより、絞り込みの長さを測定し、ロール状ペーパー２０の巻き硬さを判定することができる。
【００２８】
所定のサイズに切断する前（軸方向に複数個連なった状態）の長ロール状ペーパー２０を判定する場合には、図４のように、両側を長ロール状ペーパー２０の巻き硬さ判定治具１にて支持して、判定することができる。判定は、一方のみで行っても良いし、より正確に判定する場合には、両方で行っても良い。その後、巻き硬さの判定に合格した長ロール状ペーパー２０を所定の長さに切断して、製品の長さとする。
【００２９】
上記ロール状ペーパー２０の巻き硬さ判定方法、及びロール状ペーパーの巻き硬さ判定治具１は、厚めの衛生用紙、弾力性のある衛生用紙等に適しており、特にペーパータオルの判定方法、判定治具１として適するが、これに限らず、ロール状に巻かれたトイレットパーパー等の衛生用紙一般に使用することができる。
【実施例】
【００３０】
以下、本発明を実施例に基づいてさらに詳細に説明するが、本発明はこれらの実施例に限定されるものではない。
【００３１】
載置部２は、長さ２２０ｍｍ×（受け部３の）直径１２０ｍｍとなるように２つ作製し、切断前の長ロール状ペーパー２０を載置できるように、それぞれを柱に固定した（図４参照）。また、絞り込み手段としてのベルトは、厚さ２．０ｍｍ×幅１０ｍｍ×長さ３５０ｍｍのハバジット日本（株）製の伝動ベルトＳ−１８／２０を用いた。また、直径３８ｍｍ×長さ１１４ｍｍ、重さ約１ｋｇの錘１５を使用した。
【００３２】
前述の実施形態のように、長ロール状ペーパー２０の円周方向のほぼ全周に伝動ベルトを巻きつけて、錘１５をぶら下げることにより円周方向を締め付け、その締め付けによって減少した円周方向の長さである絞り込み長さを測定し、巻き硬さを判定した。ロール状ペーパー２０の絞り込み長さの判定は、円周の絞り込みが３ｍｍ以上８ｍｍ以内を合格、それを超えるものを不合格として判定した。検査者によるばらつきをなくし、容易に判定することができた。
【産業上の利用可能性】
【００３３】
本発明のロール状ペーパーの巻き硬さ判定方法、及びロール状ペーパーの巻き硬さ判定治具は、ペーパータオル、トイレットペーパー等のロール状に巻かれたロール状ペーパーの巻き硬さの判定方法、判定治具として使用することができる。軸方向に切断前の長ロール状ペーパーにも適用できる。
【図面の簡単な説明】
【００３４】
【図１】本発明のロール状ペーパーの巻き硬さ判定治具の一実施形態を示す斜視図である。
【図２】本発明のロール状ペーパーの巻き硬さ判定治具を横から見た図である。
【図３Ａ】ロール状ペーパーを巻き硬さ判定治具に載置したところを示す図である。
【図３Ｂ】巻き硬さ判定治具に載置したロール状ペーパーを錘によって絞り込むところを示す図である。
【図４】２つのロール状ペーパーを巻き硬さ判定治具によって長ロール状ペーパーを判定し、その後、切断することを説明するための図である。
【符号の説明】
【００３５】
１：巻き硬さ判定治具、２：載置部、３：受け部、４：取付け部、５：切欠き部、１０：絞り込み手段、１１：負荷印加部、１２：スケール、１３：基準線、１５：錘、２０：ロール状ペーパー、２０ｇ：胴部外周、２０ｓ：芯、２５：ボルト、２６：柱２６。
【図１】
0004996500.tif 000002
【図２】
0004996500.tif 000003
【図３Ａ】
0004996500.tif 000004
【図３Ｂ】
0004996500.tif 000005
【図４】
0004996500.tif 000006